【手続補正書】
【提出日】平成26年6月25日(2014.6.25)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、１以上のレンズ群を含む後群を有し、
広角端に比べて望遠端において、前記第１レンズ群は物体側に位置し、前記第２レンズ群は像側に位置し、ズーミングに際して隣り合うレンズ群の間隔が変化するズームレンズであって、
望遠端における前記第２レンズ群と前記第３レンズ群の間隔をＤｔ２３、広角端と望遠端における全系の焦点距離をそれぞれｆｗ、ｆｔ、前記第２レンズ群の焦点距離をｆ２、広角端から望遠端へのズーミングに際しての前記第２レンズ群の光軸方向の移動量をＭ２とするとき、
Ｄｔ２３／√（ｆｗ×ｆｔ）＜０．０９
０．０１＜｜ｆ２｜／ｆｔ＜０．１０
−５．００＜Ｍ２／｜ｆ２｜＜−０．７０
なる条件式を満足することを特徴とするズームレンズ。
【請求項２】
広角端における前記第２レンズ群の横倍率をβ２ｗ、望遠端における前記第２レンズ群の横倍率をβ２ｔとするとき、
５．００＜β２ｔ／β２ｗ＜２０．００
なる条件式を満足することを特徴とする請求項１に記載のズームレンズ。
【請求項３】
各レンズ群の厚さの総和をＴｓｕｍとするとき、
Ｔｓｕｍ／ｆｔ＜０．５０
なる条件式を満足することを特徴とする請求項１又は２に記載のズームレンズ。
【請求項４】
前記第３レンズ群の焦点距離をｆ３とするとき、
０．３０＜｜ｆ２｜／ｆ３＜０．８０
なる条件式を満足することを特徴とする請求項１乃至３のいずれか１項に記載のズームレンズ。
【請求項５】
前記第１レンズ群の焦点距離をｆ１とするとき、
８．００＜ｆ１／ｆｗ＜３５．００
なる条件式を満足することを特徴とする請求項１乃至４のいずれか１項に記載のズームレンズ。
【請求項６】
広角端から望遠端へのズーミングに際しての前記第１レンズ群の光軸方向の移動量をＭ１とするとき、
５．００＜Ｍ１／ｆｗ＜２５．００
なる条件式を満足することを特徴とする請求項１乃至５のいずれか１項に記載のズームレンズ。
【請求項７】
前記第３レンズ群の焦点距離をｆ３とするとき、
０．０１＜ｆ３／ｆｔ＜０．２５
なる条件式を満足することを特徴とする請求項１乃至６のいずれか１項に記載のズームレンズ。
【請求項８】
請求項１乃至７のいずれか１項に記載のズームレンズにおいて、
１５．００＜ｆｔ／ｆｗ＜１２０．００
なる条件式を満足することを特徴とするズームレンズ。
【請求項９】
前記第１レンズ群は、物体側から像側へ順に、負レンズ、正レンズ、正レンズを有することを特徴とする請求項１乃至８のいずれか１項に記載のズームレンズ。
【請求項１０】
前記後群は、物体側から像側へ順に、負の屈折力の第４レンズ群、正の屈折力の第５レンズ群からなり、前記第４レンズ群と前記第５レンズ群はズーミングに際して移動することを特徴とする請求項１乃至９のいずれか１項のズームレンズ。
【請求項１１】
前記後群は正の屈折力の第４レンズ群からなり、前記第４レンズ群はズーミングに際して移動することを特徴とする請求項１乃至９のいずれか１項のズームレンズ。
【請求項１２】
前記後群は、物体側から像側へ順に、正の屈折力の第４レンズ群、正の屈折力の第５レンズ群よりなり、前記第４レンズ群と前記第５レンズ群はズーミングに際して移動することを特徴とする請求項１乃至９のいずれか１項のズームレンズ。
【請求項１３】
固体撮像素子に像を形成することを特徴とする請求項１乃至１２のいずれか１項に記載のズームレンズ。
【請求項１４】
請求項１乃至１３のいずれか１項に記載のズームレンズと、該ズームレンズによって形成される像を受光する固体撮像素子を有することを特徴とする撮像装置。
【手続補正２】
【補正対象書類名】明細書
【補正対象項目名】００１０
【補正方法】変更
【補正の内容】
【００１０】
本発明のズームレンズは、物体側より像側へ順に、正の屈折力の第１レンズ群、負の屈折力の第２レンズ群、正の屈折力の第３レンズ群、１以上のレンズ群を含む後群を有し、
広角端に比べて望遠端において、前記第１レンズ群は物体側に位置し、前記第２レンズ群は像側に位置し、ズーミングに際して隣り合うレンズ群の間隔が変化するズームレンズであって、
望遠端における前記第２レンズ群と前記第３レンズ群の間隔をＤｔ２３、広角端と望遠端における全系の焦点距離をそれぞれｆｗ、ｆｔ、前記第２レンズ群の焦点距離をｆ２、広角端から望遠端へのズーミングに際しての前記第２レンズ群の光軸方向の移動量をＭ２とするとき、
Ｄｔ２３／√（ｆｗ×ｆｔ）＜０．０９
０．０１＜｜ｆ２｜／ｆｔ＜０．１０
−５．００＜Ｍ２／｜ｆ２｜＜−０．７０
なる条件式を満足することを特徴としている。
【手続補正３】
【補正対象書類名】明細書
【補正対象項目名】００１３
【補正方法】変更
【補正の内容】
【００１３】
本発明のズームレンズは、物体側より像側へ順に、正の屈折力の第１レンズ群、負の屈折力の第２レンズ群、正の屈折力の第３レンズ群、１以上のレンズ群を含む後群を有している。第１レンズ群は広角端に比べて望遠端にて物体側に位置するように移動し、第２レンズ群は広角端に比べて望遠端にて像側に位置するように移動する。後群は、物体側から像側へ順に、負の屈折力の第４レンズ群、正の屈折力の第５レンズ群からなり、第４レンズ群と第５レンズ群はズーミングに際して移動する。各実施例ではズーミングに際して隣り合うレンズ群の間隔が変化する。
【手続補正４】
【補正対象書類名】明細書
【補正対象項目名】００２５
【補正方法】変更
【補正の内容】
【００２５】
本実施例でのメカ絞りＦＳはズーミングに際して第３レンズ群Ｌ３と一体（同じ軌跡）で移動するが、異なった軌跡で移動させても良く、また固定であっても良い。Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の像面に、銀塩フィルム用カメラのときはフィルム面に相当する感光面が置かれる。
【手続補正５】
【補正対象書類名】明細書
【補正対象項目名】００２６
【補正方法】変更
【補正の内容】
【００２６】
収差図のうち球面収差において、実線と２点鎖線は各々ｄ線及びｇ線、非点収差図において点線のΔＭと実線のΔＳはメリディオナル像面、サジタル像面である。倍率色収差はｇ線によって表している。ωは半画角（撮影画角の半分の値）（度）、ＦｎｏはＦナンバーである。尚、以下の各実施例において広角端と望遠端は変倍用レンズ群が機構上光軸上を移動可能な範囲の両端に位置したときのズーム位置をいう。各実施例では、広角端から望遠端へのズーミングに際して矢印のように各レンズ群を移動させている。
【手続補正６】
【補正対象書類名】明細書
【補正対象項目名】００２８
【補正方法】変更
【補正の内容】
【００２８】
各実施例のズームレンズは、物体側より像側へ順に、正の屈折力の第１レンズ群、負の屈折力の第２レンズ群、正の屈折力の第３レンズ群、１以上のレンズ群を含む後群を有す構成としている。さらに広角端から望遠端へのズーミングに際して第１レンズ群は広角端に比べて望遠端にて物体側に位置するように移動し、第２レンズ群Ｌ２は広角端に比べて望遠端にて像側に位置するように移動する。ズーミングに際して隣り合うレンズ群の間隔が変化する。
【手続補正７】
【補正対象書類名】明細書
【補正対象項目名】００３６
【補正方法】変更
【補正の内容】
【００３６】
各実施例において、更に好ましくは次の諸条件のうち１以上を満足するのが良い。広角端における第２レンズ群Ｌ２の横倍率をβ２ｗ、望遠端における第２レンズ群Ｌ２の横倍率をβ２ｔとする。ズームレンズを構成する全てのレンズ群の厚さの総和をＴｓｕｍとする。第１レンズ群Ｌ１の焦点距離をｆ１とする。第３レンズ群Ｌ３の焦点距離をｆ３とする。広角端から望遠端へのズーミングに際しての第１レンズ群Ｌ１の光軸方向の移動量をＭ１とする。このとき、次の条件式のうち１以上を満足するのが良い。 
【手続補正８】
【補正対象書類名】明細書
【補正対象項目名】００７８
【補正方法】変更
【補正の内容】
【００７８】
非球面データ
第13面
K =-2.70434e-001  A 4=-5.69285e-005  A 6=-5.23498e-008  A 8=-8.93644e-010  
第14面
K = 0.00000e+000  A 4= 2.46102e-005  A 6= 1.73290e-008  
各種データ
ズーム比     47.51 
広角     中間     望遠
焦点距離       4.42    14.21   210.00  
Fナンバー      3.50     4.71     6.69  
半画角（度）  37.01    15.25     1.06  
像高           3.33     3.88     3.88  
レンズ全長    97.00    95.39   138.53  
BF            11.44    19.83    10.00  
d 5            0.75    16.57    61.72  
d11           36.13    14.08     1.05  
d12            9.95     3.01     0.35  
d20            1.78     4.91     8.04  
d22            4.83     4.88    25.25  
d25            9.91    18.30     8.47  
ズームレンズ群データ
群  始面    焦点距離  
1    1      80.35       
2    6      -9.38        
3   13      19.69        
4   21     -64.69        
5   23      32.20       
【手続補正９】
【補正対象書類名】明細書
【補正対象項目名】００８０
【補正方法】変更
【補正の内容】
【００８０】
非球面データ
第13面
K =-1.78888e-001  A 4=-4.01546e-006  A 6= 1.73083e-006  A 8= 1.75668e-008  A10= 2.62605e-010  
第14面
K =-6.67199e+001  A 4= 1.27460e-004  A 6= 3.44802e-006  
各種データ
ズーム比     28.51 
広角     中間     望遠
焦点距離       4.42    15.43   125.99  
Fナンバー      3.50     5.10     5.98  
半画角（度）  37.01    14.09     1.76  
像高           3.33     3.88     3.88  
レンズ全長    85.36    83.81   119.36  
BF             8.44    12.06     7.57  
d 5            0.78    15.73    56.38  
d11           29.71    10.30     0.93  
d12            8.90     1.10     0.51  
d20            2.15     8.47    10.63  
d22            4.70     5.47    12.64  
d25            7.03    10.65     6.16  
ズームレンズ群データ
群  始面    焦点距離  
1    1      77.05        
2    6      -9.51                  
3   13      14.87        
4   21     -19.54       
5   23      17.37         
【手続補正１０】
【補正対象書類名】明細書
【補正対象項目名】００８２
【補正方法】変更
【補正の内容】
【００８２】
非球面データ
第4面
K =-1.76307e-003  A 4=-9.93865e-008  A 6=-2.90526e-011  A 8=-3.84237e-015  A10=-2.28856e-015  
第15面
K =-4.42240e-001  A 4=-8.40186e-005  A 6= 4.16653e-007  A 8=-7.35921e-008  A10= 2.12069e-009  
第16面
K =-6.28357e-007  A 4= 4.33153e-007  A 6= 5.61637e-008  A 8=-6.14980e-011  A10=-4.01133e-013  
各種データ
ズーム比     18.90 
広角     中間     望遠
焦点距離       5.17    27.25    97.78  
Fナンバー      2.83     3.89     5.48  
半画角（度）  36.83     8.09     2.27  
像高           3.88     3.88     3.88  
レンズ全長    85.40    94.92   117.12  
BF            10.04    19.40    12.42  
d 5            0.70    27.64    40.81  
d13           25.54     5.38     1.17  
d14            7.50     2.43     0.75  
d24            4.49     2.96    24.85  
d26            8.16    17.52    10.54  
ズームレンズ群データ
群  始面    焦点距離 
1    1      63.34       
2    6      -9.22        
3   15      19.31      
4   25      32.60        
【手続補正１１】
【補正対象書類名】明細書
【補正対象項目名】００８４
【補正方法】変更
【補正の内容】
【００８４】
非球面データ
第15面
K =-1.94279e-001  A 4=-2.44163e-006  A 6= 4.95673e-007  A 8=-2.21380e-008  A10= 5.49114e-010  
第16面
K = 6.00981e+002  A 4= 1.28301e-004  A 6= 7.08493e-007  
各種データ
ズーム比     41.67 
広角     中間     望遠
焦点距離       3.91    11.88   162.78  
Fナンバー      2.87     4.93     7.07  
半画角（度）  40.47    18.06     1.36  
像高           3.33     3.88     3.88  
レンズ全長    93.76    93.12   128.03  
BF            11.01    16.95    13.49  
d 5            0.80    15.61    63.97  
d13           28.91    16.47     0.61  
d14           13.91     0.50     0.31  
d20            2.40     6.85    12.92  
d25            9.35    15.29    11.83  
ズームレンズ群データ
群  始面    焦点距離  
1    1      80.99       
2    6      -8.52         
3   15      17.99        
4   21      56.73        
【手続補正１２】
【補正対象書類名】明細書
【補正対象項目名】００８６
【補正方法】変更
【補正の内容】
【００８６】
非球面データ
第6面
K = 1.03108e+002  A 4= 1.51950e-005  A 6=-4.06651e-008  A 8=-9.11050e-011  
第7面
K = 5.80956e-002  A 4=-2.38030e-005  A 6= 2.87087e-007  A 8=-5.53044e-009  
第13面
K = 5.43264e-002  A 4=-7.17815e-005  A 6=-5.61355e-007  A 8=-3.51757e-009  A10= 2.62605e-010  
第14面
K =-3.33931e+001  A 4= 7.99817e-005  A 6= 8.51467e-008  
各種データ
ズーム比     38.68 
広角     中間     望遠
焦点距離       3.80    10.30   147.00  
Fナンバー      2.62     4.19     5.94  
半画角（度）  40.58    20.62     1.51  
像高           3.25     3.88     3.88  
レンズ全長    90.76    87.72   149.92  
BF             9.62    15.55    14.72  
d 5            0.50    11.17    69.34  
d11           28.45    14.42     0.50  
d12           12.59     1.42     1.40  
d20            2.04     3.92    15.00  
d22            3.94     7.63    15.35  
d25            8.09    14.02    13.19  
ズームレンズ群データ
群  始面    焦点距離  
1    1      91.18        
2    6      -8.77        
3   13      17.51         
4   21     -48.27        
5   23      26.00        
【手続補正１３】
【補正対象書類名】明細書
【補正対象項目名】００８８
【補正方法】変更
【補正の内容】
【００８８】
非球面データ
第6面
K =-1.05448e+004  A 4= 1.39626e-005  A 6= 3.87206e-007  A 8=-9.23386e-009  A10= 3.70772e-011  A12= 6.86907e-014  
第7面
K = 1.28834e-002  A 4=-1.05471e-004  A 6= 3.73155e-006  A 8=-1.97267e-008  A10=-1.10223e-009  A12= 6.60991e-012  
第13面
K =-6.17378e-001  A 4= 2.53617e-005  A 6=-2.27818e-006  A 8=-1.35745e-008  A10= 2.62605e-010  
第14面
K = 1.36688e+002  A 4= 1.10383e-004  A 6=-1.99129e-006  
各種データ
ズーム比     43.46 
広角     中間     望遠
焦点距離       4.30    12.73   187.00  
Fナンバー      2.87     5.00     7.07  
半画角（度）  37.76    16.94     1.19  
像高           3.33     3.88     3.88  
レンズ全長    93.83    95.36   140.56  
BF            10.73    18.99    16.11  
d 5            0.78    16.76    62.40  
d11           32.19    12.78     0.84  
d12           12.02     5.16    -0.50  
d22            1.90     6.25     3.74  
d24            3.60     2.81    25.35  
d27            9.20    17.46    14.58  
ズームレンズ群データ
群  始面    焦点距離  
1    1      79.98         
2    6      -9.17         
3   13      23.26      
4   23     205.38       
5   25      34.74     
【手続補正１４】
【補正対象書類名】明細書
【補正対象項目名】００９０
【補正方法】変更
【補正の内容】
【００９０】
非球面データ
第6面
K = 9.27342e+004  A 4= 3.81002e-005  A 6=-3.08623e-007  A 8= 9.42749e-010  
第7面
K =-1.01331e-001  A 4= 2.19036e-005  A 6= 1.40543e-006  A 8=-2.72919e-008  
第13面
K =-8.51411e-002  A 4=-1.17522e-004  A 6=-1.30376e-007  A 8=-2.15967e-008  A10= 2.62605e-010  
第14面
K =-3.49998e+001  A 4=-2.57554e-005  A 6=-4.66479e-007  
第19面
K =-1.12299e+000  A 4= 1.68053e-006  A 6= 6.56435e-007  A 8= 1.63883e-009  
各種データ
ズーム比     94.44 
広角     中間     望遠
焦点距離       3.60    14.51   340.00  
Fナンバー      3.50     5.00     9.00  
半画角（度）  42.12    14.95     0.65  
像高           3.25     3.88     3.88  
レンズ全長    96.08    97.57   165.58  
BF            10.48    21.86     2.28  
d 5            0.50    20.50    79.15  
d11           29.12     9.42     1.17  
d12           17.55     2.60     0.00  
d19            2.28     2.57    11.94  
d21            2.85     7.32    37.74  
d24            9.65    21.03     1.45  
ズームレンズ群データ
群  始面    焦点距離  
1    1      98.89        
2    6      -9.14        
3   13      18.17         
4   20     -47.27         
5   22      26.66        
【手続補正１５】
【補正対象書類名】明細書
【補正対象項目名】００９２
【補正方法】変更
【補正の内容】
【００９２】
非球面データ
第13面
K =-2.35062e-001  A 4=-2.53973e-005  A 6= 1.44411e-007  A 8= 3.99784e-009  A10= 2.62605e-010  
第14面
K =-1.15907e+002  A 4= 1.05998e-004  A 6= 2.39812e-007  
各種データ
ズーム比     31.67 
広角     中間     望遠
焦点距離       4.42    13.40   140.00  
Fナンバー      3.50     4.20     5.98  
半画角（度）  37.01    16.13     1.59  
像高           3.33     3.88     3.88  
レンズ全長    85.44    80.40   120.55  
BF             9.75    15.41     7.61  
d 5            0.78    11.82    54.64  
d11           29.21    12.36     0.99  
d12           10.34     0.99     0.45  
d20            2.18     5.53     7.62  
d22            3.32     4.42    19.39  
d25            8.22    13.88     6.08  
ズームレンズ群データ
群  始面    焦点距離  
1    1      73.93      
2    6      -9.74       
3   13      16.31    
4   21     -34.47     
5   23      25.80